【事件の表示】
　特願２０１２−１９９６６５「低電力シャッタラグ除去方法、カメラモジュール及びそれを備えたモバイル機器」拒絶査定不服審判事件〔平成２５年　６月１０日出願公開、特開２０１３−１１５８１６〕について、次のとおり審決する。
【結　論】
　本件審判の請求は、成り立たない。
【理　由】
第１　手続の経緯
　本願は、平成２４年９月１１日（パリ条約による優先権主張２０１１年１１月２８日、韓国）の出願であって、その手続の経緯は、以下のとおりである。
　平成２７年　９月　４日　　：手続補正書の提出
　平成２８年　８月３１日付け：拒絶理由通知書
　平成２８年１１月２１日　　：意見書、手続補正書の提出
　平成２９年　４月２７日付け：拒絶査定
　平成２９年　５月　２日　　：拒絶査定の謄本の送達
　平成２９年　９月　４日　　：審判請求書、手続補正書の提出
第２　本願発明
　平成２９年９月４日付けの手続補正（以下、「本件補正」という。）は、本件補正前の特許請求の範囲について補正しようとするものであり、本件補正後の請求項１は、本件補正前の請求項１を引用する請求項２を、独立形式に書き改めて記載したものである。
　本願の請求項１に係る発明（以下、「本願発明」という。）は、以下のとおりである。
　なお、Ａ〜Ｇは、説明のために当審にて付したものであり、以下、「構成Ａ」〜「構成Ｇ」という。
「Ａ　カメライメージセンサのプレビュモードでセンサ出力イメージを低解像度に維持する段階と、
　Ｂ　キャプチャ準備信号に応答して前記センサ出力イメージの解像度を低解像度から高解像度に変更して前記カメライメージセンサの動作モードを前記プレビュモードからキャプチャ準備モードに進入させる段階と、
　Ｃ　前記キャプチャ準備信号とは異なるキャプチャ信号を受信する段階と、
　Ｄ　前記キャプチャ準備モードで前記キャプチャ信号に応答して前記センサ出力イメージをキャプチャする段階と、
　Ｅ　前記センサ出力イメージがキャプチャされると、前記センサ出力イメージの解像度を高解像度から低解像度に変更して前記カメライメージセンサを前記キャプチャ準備モードからプレビュモードに再進入させる段階とを含み、
　Ｆ　前記低解像度は基準解像度と同一であるか、または、前記基準解像度より低い解像度であり、前記高解像度は前記基準解像度より高い解像度であることを特徴とする
　Ｇ　イメージセンサ動作方法。」
第３　原査定の拒絶の理由
　本件補正前の請求項２についての原査定の拒絶の理由は、以下のとおりである。
　この出願の請求項２に係る発明は、その出願前に日本国内又は外国において、頒布された下記の引用文献１に記載された発明であるから、特許法第２９条第１項第３号に該当し、特許を受けることができない、もしくは、この出願の請求項２に係る発明は、その出願前に日本国内又は外国において、頒布された下記の引用文献１に記載された発明に基いて、その出願前にその発明の属する技術の分野における通常の知識を有する者が容易に発明をすることができたものであるから、特許法第２９条第２項の規定により特許を受けることができない。
　引用文献１．特開２０１１−２３４３６０号公報
第４　引用文献１の記載事項及び引用発明
　引用文献１（平成２３年１１月１７日出願公開。なお、段落番号は、公開公報の段落番号である。）には、図面とともに、次の記載がある。
　なお、下線は、説明のために当審にて付したものである。
「【００１２】
　本発明は、画像キャプチャモジュール及びこれを用いた
画像キャプチャ方法を提供する。
画像キャプチャ方法をデジタルカメラに用いることができる
【００１３】
　図２に示すように、画像キャプチャモジュール１００は少なくとも画像信号処理手段３００と、プレビューインタフェース５００と、画像レジスタ７００とを含む。画像キャプチャモジュール１００は、撮像素子２００に接続されており、撮像素子２００に提供される画像データストリーム２１０を受信する。
撮像素子２００は各種のイメージセンサ、例えばＣＣＤやＣＭＯＳであってもよい。
撮像素子２００に生成された画像データストリーム２１０
「【００１８】
　図３に示すように、プレビュー画像ストリーム３１０は第１プレビューフレーム３１１、第２プレビューフレーム３１２、及び第３プレビューフレーム３１３を有し、
出力画像ストリーム３３０は、
第１出力フレーム３３１、第２出力フレーム３３２、及び第３出力フレーム３３３を有する。
第１出力フレーム３３１は、撮像素子２００に提供される画像データストリーム２１０中における同じフレームによって生成され、
「【００２０】
　
使用者がシャッターキーや他のトリガ装置を操作することによって画像キャプチャ指令８００が生成されて画像キャプチャモードに入り
画像キャプチャ指令８００により、
第１出力フレーム３３１をキャプチャする画像として出力
「【００２７】
　
図８Ａに示すように、プレビューモードと画像キャプチャモードの間に、更に画像キャプチャ用意指令８１０によって起動される画像キャプチャ用意モードを含んでもよい。
第２段のトリガ９３２が作動され、これによって画像がキャプチャされる
「【００２９】
　また、
図８Ｂに示すように、画像キャプチャ用意指令８１０を受信する前のプレビューモードにおいて、システムによって、解像度の低い画像データストリーム２１０を提供してプレビュー画像ストリーム３１０の画像更新周期を高めるように撮像素子２００を切り替える、画像キャプチャ用意指令８１０を受信してその後の画像キャプチャ用意モードの入るとき、システムによって、解像度の高い画像データストリーム２１０を提供するように、撮像素子２００を切り替えて
図８Ａ
図８Ｂ
　
　上記記載、並びにこの分野における技術常識を考慮し、引用文献１に記載される発明を以下に検討する。
（ａ）段落００１２の記載から、引用文献１には、画像キャプチャ方法が記載され、画像キャプチャ方法をデジタルカメラに用いることが記載されている。
　また、段落００１３の記載から、引用文献１の画像キャプチャ方法は、イメージセンサを用いた方法である。
　したがって、引用文献１には、『デジタルカメラのイメージセンサを用いた画像キャプチャ方法』が記載されている。
（ｂ）段落００１３の記載から、引用文献１の『デジタルカメラのイメージセンサを用いた画像キャプチャ方法』は、撮像素子すなわちイメージセンサが画像データストリームを生成するものであり、段落００２９の記載から、引用文献１の『デジタルカメラのイメージセンサを用いた画像キャプチャ方法』は、プレビューモードにおいて、解像度の低い、すなわち、低解像度の画像データストリームを提供するように撮像素子すなわちイメージセンサを切り替えるものである。
　すなわち、引用文献１の『デジタルカメラのイメージセンサを用いた画像キャプチャ方法』は、『イメージセンサのプレビューモードにおいて、イメージセンサが生成する低解像度の画像データストリームを提供するように、イメージセンサを切り替える段階』を有するものである。
（ｃ）段落００２９の記載から、引用文献１の『デジタルカメラのイメージセンサを用いた画像キャプチャ方法』は、画像キャプチャ用意指令を受信して画像キャプチャ用意モードに入るとき、解像度の高い、すなわち、高解像度の画像データストリームを提供するように、撮像素子すなわちイメージセンサを切り替えるものである。
　すなわち、引用文献１の『デジタルカメラのイメージセンサを用いた画像キャプチャ方法』は、『画像キャプチャ用意指令を受信して画像キャプチャ用意モードに入るとき、高解像度の画像データストリームを提供するように、イメージセンサを切り替える段階』を有するものである。
（ｄ）段落００２７、図８Ａ、図８Ｂによれば、引用文献１には、プレビューモードと画像キャプチャモードの間に、さらに画像キャプチャ用意モードを含むこと、第２段のトリガ９３２が作動されると、画像がキャプチャされることが記載されている。
　また、段落００１８、段落００２０によれば、引用文献１には、画像キャプチャ指令８００により、画像キャプチャモードに入り、画像データストリームによって生成される第１出力フレーム等を含む出力画像ストリームを出力することが記載されている。
　さらに、図８Ａ、図８Ｂによれば、（９３２）８００により、画像キャプチャモードに入ることが見てとれる。
　以上をまとめると、引用文献１の『デジタルカメラのイメージセンサを用いた画像キャプチャ方法』は、『画像キャプチャ指令を受信する段階と、画像キャプチャ指令により、画像キャプチャモードに入り、画像データストリームによって生成される出力画像ストリームをキャプチャする段階』を有するものである。
　よって、引用文献１には、以下の発明（以下、「引用発明」という。）が開示されている。
　なお、ａ〜ｅは、説明のために当審にて付したものであり、以下、「構成ａ」〜「構成ｅ」という。
「ａ　イメージセンサのプレビューモードにおいて、イメージセンサが生成する低解像度の画像データストリームを提供するように、イメージセンサを切り替える段階と、
　ｂ　画像キャプチャ用意指令を受信して画像キャプチャ用意モードに入るとき、高解像度の画像データストリームを提供するように、イメージセンサを切り替える段階と、
　ｃ　画像キャプチャ指令を受信する段階と、
　ｄ　画像キャプチャ指令により、画像キャプチャモードに入り、画像データストリームによって生成される出力画像ストリームをキャプチャする段階とを含むことを特徴とする
　ｅ　デジタルカメラのイメージセンサを用いた画像キャプチャ方法。」
第５　対比
　本願発明と引用発明を対比する。
（ａ）構成Ａと構成ａについて
　構成ａの「プレビューモード」は、構成Ａの「プレビュモード」に相当する。
　構成ａの「イメージセンサ」は、構成ｅより「デジタルカメラのイメージセンサ」であるから、構成Ａの「カメライメージセンサ」に相当する。
　構成ａの「イメージセンサが生成する」「画像データストリーム」は、イメージセンサが出力する画像であるから、構成Ａの「センサ出力イメージ」に相当する。
　そして、構成ａは、プレビューモードにおいて低解像度の画像データストリームを提供しているものであり、構成ｂの、「画像キャプチャ用意指令を受信」するまでは、プレビューモードにおいて低解像度の画像データストリームを提供し続けているといえるから、構成ａは、構成Ａの「カメライメージセンサのプレビュモードでセンサ出力イメージを低解像度に維持する段階」に相当する。
　したがって、構成ａは、構成Ａに相当する。
（ｂ）構成Ｂ〜Ｄと構成ｂ〜ｄについて
（ｂ−１）構成ｂ〜ｄの「画像キャプチャ用意モード」及び「画像キャプチャモード」と、構成Ｂ〜Ｄの「キャプチャ準備モード」について
　各構成を対比する前に、構成ｂ〜ｄの「画像キャプチャ用意モード」及び「画像キャプチャモード」と、構成Ｂ〜Ｄの「キャプチャ準備モード」について検討する。
　引用発明の構成ｂ〜ｄより、「画像キャプチャ用意モード」は、画像キャプチャ用意指令を受信してから画像キャプチャ指令を受信するまでの、高解像度の画像データストリームを提供しているモードである。
　そして、「画像キャプチャモード」は、画像キャプチャ指令を受信した後に、出力画像ストリームをキャプチャするモードといえる。
　そうすると、構成ｂ〜ｄの「画像キャプチャ用意モード」とそれに続く「画像キャプチャモード」は、画像キャプチャ用意指令を受信し、高解像度の画像データストリームを提供し、画像キャプチャ指令を受信し、出力画像ストリームをキャプチャする処理を含むものである。
　それに対して、本願発明の構成Ｂ〜Ｄより、「キャプチャ準備モード」は、キャプチャ準備信号を受信し、センサ出力イメージの解像度を高解像度にし、キャプチャ信号を受信し、センサ出力イメージをキャプチャする処理を含むものである。
　そして、構成ｂの「画像キャプチャ用意指令」は、構成Ｂの「キャプチャ準備信号」に相当する。
　また、構成ｃの「画像キャプチャ指令」は、画像をキャプチャするための信号であるから、構成Ｃの「キャプチャ信号」に相当する。
　さらに、構成ｄの「出力画像ストリーム」は、画像データストリーム、すなわち、イメージセンサが出力する画像によって生成されるものであるから、構成Ｄの「センサ出力イメージ」に相当する。
　したがって、構成ｂ〜ｄの「画像キャプチャ用意モード」とそれに続く「画像キャプチャモード」は、構成Ｂ〜Ｄの、キャプチャ準備信号を受信し、センサ出力イメージの解像度を高解像度にし、キャプチャ信号を受信し、センサ出力イメージをキャプチャする処理を含むものであるから、構成Ｂ〜Ｄの「キャプチャ準備モード」に相当するものといえる。
　構成ｂ〜ｄの「画像キャプチャ用意モード」とそれに続く「画像キャプチャモード」は、構成Ｂ〜Ｄの「キャプチャ準備モード」に相当することを踏まえ、構成Ｂ〜Ｄと構成ｂ〜ｄについてさらに検討する。
（ｂ−２）構成Ｂと構成ｂについて
　構成ｂは、「画像キャプチャ用意指令を受信して」「高解像度の画像データストリームを提供する」ものであり、画像キャプチャ用意指令を受信する前のプレビューモードでは、提供する画像データストリームは低解像度であるから、『画像キャプチャ用意指令を受信すると、画像データストリームの解像度を低解像度から高解像度に変更』しているものといえる。
　そして、構成ｂは、「画像キャプチャ用意モードに入るとき、高解像度の画像データストリームを提供するように、イメージセンサを切り替え」るものであり、切り替え前のモードは、プレビューモードであるから、『イメージセンサの動作モードをプレビューモードから画像キャプチャ用意モードに入れる』ものといえる。
　そうすると、構成ｂは、『画像キャプチャ用意指令を受信すると、画像データストリームの解像度を低解像度から高解像度に変更し、イメージセンサの動作モードをプレビューモードから画像キャプチャ用意モードに入れる段階』であるといえる。
　上記（ａ）、（ｂ−１）で検討したように、構成ｂの「画像キャプチャ用意指令」、「画像データストリーム」、「イメージセンサ」は、構成Ｂの「キャプチャ準備信号」、「センサ出力イメージ」、「カメライメージセンサ」に相当する。
　そして、上記（ｂ−１）で検討したように、構成ｂ〜ｄの「画像キャプチャ用意モード」とそれに続く「画像キャプチャモード」は、構成Ｂ〜Ｄの「キャプチャ準備モード」に相当するので、構成ｂの『プレビューモードから画像キャプチャ用意モードに入れる』ことは、構成Ｂの「前記プレビュモードからキャプチャ準備モードに進入させる」ことに相当する。
　よって、構成ｂは、構成Ｂの「キャプチャ準備信号に応答して前記センサ出力イメージの解像度を低解像度から高解像度に変更して前記カメライメージセンサの動作モードを前記プレビュモードからキャプチャ準備モードに進入させる段階」に相当する。
　したがって、構成ｂは、構成Ｂに相当する。
（ｂ−３）構成Ｃと構成ｃについて
　構成ｃの「画像キャプチャ指令」は、画像をキャプチャするための信号であり、構成ｂの「画像キャプチャ用意指令」とは、異なる信号であるから、構成Ｃの「前記キャプチャ準備信号とは異なるキャプチャ信号」に相当する。
　したがって、構成ｃは、構成Ｃに相当する。
（ｂ−４）構成Ｄと構成ｄについて
　構成ｄは、画像キャプチャ指令により、画像キャプチャモードに入り、出力画像ストリームをキャプチャすることから、画像キャプチャモードで、画像キャプチャ指令により、出力画像ストリームをキャプチャするものである。
　そして、構成ｄの「画像キャプチャ指令」、「出力画像ストリーム」は、構成Ｄの「キャプチャ信号」、「センサ出力イメージ」に相当する。
　上記（ｂ−１）で検討したように、構成ｂ〜ｄの「画像キャプチャ用意モード」とそれに続く「画像キャプチャモード」は、構成Ｂ〜Ｄの「キャプチャ準備モード」に相当する。
　よって、構成ｄは、構成Ｄの「前記キャプチャ準備モードで前記キャプチャ信号に応答して前記センサ出力イメージをキャプチャする段階」に相当する。
　以上より、構成ｄは、構成Ｄに相当する。
（ｃ）構成Ｅについて
　構成Ｅは、「前記センサ出力イメージがキャプチャされると、前記センサ出力イメージの解像度を高解像度から低解像度に変更して前記カメライメージセンサを前記キャプチャ準備モードからプレビュモードに再進入させる」のに対し、引用発明は、そのように限定される構成が明記されていない点で一応相違する。
　しかし、画像をキャプチャした後に、次の撮影の準備のためにプレビューモードに戻すことは、デジタルカメラにおいて普通に行われている構成（例えば、特開２００９−１１１６７１号公報の段落００５０、図４には、キャプチャーを行った後、プレビューモードに戻す構成が開示されている。）であるから、引用発明においても、『出力画像ストリームがキャプチャされると、画像キャプチャモードからプレビューモードに戻す』構成は、当然に有している構成であると認められる。
　上記（ｂ−１）で検討したように、構成ｂ〜ｄの「画像キャプチャ用意モード」とそれに続く「画像キャプチャモード」は、構成Ｂ〜Ｄの「キャプチャ準備モード」に相当する。そして、上記（ｂ−２）で検討したように、構成ｂの『プレビューモードから画像キャプチャ用意モードに入れる』ことは、構成Ｂの「前記プレビュモードからキャプチャ準備モードに進入させる」ことに相当する。
　そうすると、『画像キャプチャモードからプレビューモードに戻す』ことは、プレビューモードから画像キャプチャ用意モードに進入したことに対応して、再び、プレビューモードに進入することであるから、構成Ｅの「前記キャプチャ準備モードからプレビュモードに再進入させる」ことに相当するといえる。
　また、引用発明における出力画像ストリームがキャプチャされる時の解像度は高解像度で、プレビューモードの時の解像度は低解像度であるから、『出力画像ストリームがキャプチャされると、画像キャプチャモードからプレビューモードに戻す』構成では、『解像度を高解像度から低解像度に変更』しているものといえ、構成Ｅの「前記センサ出力イメージの解像度を高解像度から低解像度に変更」することに相当する。
　したがって、引用発明において、構成Ｅの「前記センサ出力イメージがキャプチャされると、前記センサ出力イメージの解像度を高解像度から低解像度に変更して前記カメライメージセンサを前記キャプチャ準備モードからプレビュモードに再進入させる段階」に相当する構成は、当然に有している構成であるといえる。
（ｄ）構成Ｆについて
　構成Ｆは、「前記低解像度は基準解像度と同一であるか、または、前記基準解像度より低い解像度であり、前記高解像度は前記基準解像度より高い解像度である」構成である。
　ここで、「基準解像度」について検討すると、本願の発明の詳細な説明には、「基準解像度」に関して以下のような記載があるのみである。
「【０００９】
　（前略）ここで、前記低解像度は基準解像度と同一であるか、または、基準解像度より低い解像度であり、前記高解像度は前記基準解像度より高い解像度である。」
「【００２２】
　（前略）ここで、前記低解像度は基準解像度と同一であるか、または、基準解像度より低い解像度であり、前記高解像度は前記基準解像度より高い解
像度である。」
「【００６０】
　（前略）この時、「低解像度」とは基準解像度と同一であるか、または、基準解像度より低い解像度であり、「高解像度」とは基準解像度より高い解像度である。」
「【０１２７】
　（前略）この時、低解像度は基準解像度と同一であるか、または、基準解像度より低い解像度であり、高解像度は基準解像度より高い解像度である。」
　すなわち、発明の詳細な説明においても、構成Ｆと同様の記載があるのみであり、基準解像度がどのような値であるのかについて、具体的な記載がない。
　よって、構成Ｆの「前記低解像度は基準解像度と同一であるか、または、前記基準解像度より低い解像度であり、前記高解像度は前記基準解像度より高い解像度である」とは、低解像度は、高解像度よりも低いことを特定しているだけである。
　そして、引用発明においても、低解像度は、高解像度よりも低いものであるから、引用発明は、構成Ｆの「前記低解像度は基準解像度と同一であるか、または、前記基準解像度より低い解像度であり、前記高解像度は前記基準解像度より高い解像度である」に相当する構成を有するものである。
（ｅ）構成Ｇと構成ｅについて
　構成ｅの「デジタルカメラのイメージセンサを用いた画像キャプチャ方法」は、イメージセンサを用いて画像をキャプチャする際に、構成ａ〜構成ｄにて特定した構成により、イメージセンサをどのように動作させるかという方法であるといえるので、引用発明は、構成Ｇの「イメージセンサ動作方法」に相当するものである。
（ｆ）まとめ
　以上より、本願発明と引用発明は、構成Ａ〜構成Ｇの全てにおいて一致し、相違点はない。
第６　むすび
　以上のとおり、本願発明は、その出願前に日本国内又は外国において、頒布された引用文献１に記載された発明であるから、特許法第２９条第１項第３号に該当し、特許を受けることができない。
　したがって、他の請求項に係る発明について検討するまでもなく、本願は拒絶すべきものである。
　よって、結論のとおり審決する。